【手続補正書】
【提出日】平成21年10月23日(2009.10.23)
【手続補正１】
【補正対象書類名】特許請求の範囲
【補正対象項目名】全文
【補正方法】変更
【補正の内容】
【特許請求の範囲】
【請求項１】
成形品を生成する型であって、この型は、開成位置と閉成位置との間に解除可能に係合可能な第１の型と第２の型とを備え、前記閉成位置は、型キャビティを規定し、この型キャビティの表面は、複数の排気孔に接続されている複数の溝を備え、前記排気孔の少なくとも２つが、前記複数の溝を通して、相互に流体連通状態であり、前記排気孔の各々は、ガスを前記型キャビティから逃がすための通路を備え、前記溝の各々は、（ｉ）幅より大きいか等しい、最大約１０ｍｍの深さと、（ｉｉ）最大約５ｍｍの第１の幅を有する開成部分、並びに、第１の幅より小さい第２の幅を有する頂端部分を備えた断面の形状を有するようなデイメンションに形成されている型。
【請求項２】
少なくとも１つの排気孔は、前記第１の型に配置されている、請求項１に記載の型。
【請求項３】
少なくとも１つの排気孔は、前記第２の型に配置されている、請求項１に記載の型。
【請求項４】
少なくとも１つの排気孔は、前記第１の型と前記第２の型との間の型割り線に配置されている、請求項１に記載の型。
【請求項５】
少なくとも１つの溝は、複数の排気孔に接続されている、請求項１に記載の型。
【請求項６】
複数の排気孔が、前記第１の型に配置されている、請求項１に記載の型。
【請求項７】
複数の排気孔が、前記第２の型に配置されている、請求項１に記載の型。
【請求項８】
前記型キャビティの表面は、前記複数の溝を備えいする、請求項１に記載の型。
【請求項９】
前記型キャビティの表面は、前記第１の型に配置されている前記複数の溝を備えている、請求項１に記載の型。
【請求項１０】
前記型キャビティの表面は、前記第２の型に配置されている前記複数の溝を備えている、請求項１に記載の型。
【請求項１１】
前記複数の溝は、溝の網を規定するように配列されている、請求項８に記載の型。
【請求項１２】
前記複数の溝は、夫々、複数の排気孔に接続されている、請求項８に記載の型。
【請求項１３】
前記少なくとも１つの溝は、前記第１の型の周辺に配置されている、請求項１に記載の型。
【請求項１４】
前記少なくとも１つの溝は、前記第２の型の周辺に配置されている、請求項１に記載の型。
【請求項１５】
前記第１の型は、ふたを備え、前記第２の型はボウルを備えている、請求項１に記載の型。
【請求項１６】
前記ふたは、輪郭に合わせた表面を備えている、請求項１５に記載の型。
【請求項１７】
前記輪郭に合わせた表面は、少なくとも１つのピーク領域と１つの谷間領域とを備えている、請求項１６に記載の型。
【請求項１８】
前記少なくとも１つの溝は、少なくとも１つのピーク領域に配置されている、請求項１７に記載の型。
【請求項１９】
前記少なくとも１つの溝は、少なくとも１つの谷間領域に配置されている、請求項１７に記載の型。
【請求項２０】
前記少なくとも１つの溝は、少なくとも１つのピーク領域と前記少なくとも１つの谷間領域とに配置されている、請求項１７に記載の型。
【請求項２１】
第１の複数の溝が、前記少なくとも１つのピーク領域に配置され、また、第２の複数の溝が、前記少なくとも１つの谷間領域に配置されている、請求項１７に記載の型。
【請求項２２】
前記第１の複数の溝と前記第２の複数の溝とは、相互に連結されている、請求項２１に記載の型。
【請求項２３】
前記第１の複数の溝と前記第２の複数の溝とは、互いに隔離されている、請求項２１に記載の型。
【請求項２４】
少なくとも１つの排気孔は、前記少なくとも１つのピーク領域に配置されている、請求項１７に記載の型。
【請求項２５】
少なくとも１つの排気孔は、前記少なくとも１つの谷間領域に配置されている、請求項１７に記載の型。
【請求項２６】
第１の排気孔が、前記少なくとも１つのピーク領域に配置され、また、第２の排気孔が、前記少なくとも１つの谷間領域に配置されている、請求項１７に記載の型。
【請求項２７】
少なくとも１つの溝は、曲線の断面を有している、請求項１に記載の型。
【請求項２８】
少なくとも１つの溝は、ほぼＵ形状の有している、請求項１に記載の型。
【請求項２９】
少なくとも１つの溝は、ほぼ半円形の断面を有している、請求項１に記載の型。
【請求項３０】
少なくとも１つの溝は、ほぼＶ形状の断面を有している、請求項１に記載の型。
【請求項３１】
少なくとも１つの溝は、頂端部分によって相互に連結されている１対の側面壁を備えた断面を有している、請求項１に記載の型。
【請求項３２】
前記側面壁は、互いに平行でない、請求項３１に記載の型。
【請求項３３】
前記側面壁は、互いに角をなしている、請求項３１に記載の型。
【請求項３４】
前記側面壁は、鋭角を規定するように互いに角をなしている、請求項３１に記載の型。
【請求項３５】
前記頂端部分は、湾曲している、請求項３１に記載の型。
【請求項３６】
前記頂端部分は、湾曲していない、請求項３１に記載の型。
【請求項３７】
前記頂端部分は、先細である、請求項３１に記載の型。
【請求項３８】
前記頂端部分は、平坦である、請求項３１に記載の型。
【請求項３９】
少なくとも１つの溝は、深さは、幅にほぼ等しい、深さと幅とを有するようなデイメンションに形成されている、請求項１に記載の型。
【請求項４０】
少なくとも１つの溝は、深さが、幅よりも大きい、深さと幅とを有するようなデイメンションに形成されている、請求項１に記載の型。
【請求項４１】
成形品を生成する型であって、この型は、開成位置と閉成位置との間に解除可能に係合可能な第１の型と第２の型とを備え、前記閉成位置は、型キャビティを規定し、
この型キャビティの表面は、複数の排気孔に接続されている複数の溝を備え、各溝は、ガスを前記型キャビティから逃がすための通路をそれぞれ有する少なくとも１つの排気孔に接続されている、前記型キャビティの表面とを有し、各溝は、約３ｍｍないし約１０ｍｍの範囲内の深さと、約０．５ｍｍないし約５ｍｍの範囲内の幅とを有するようなデイメンションに形成されている、型。
【請求項４２】
少なくとも１つの溝は、約３ｍｍないし約７ｍｍの範囲内の深さと、約１ｍｍないし約４ｍｍの範囲内の幅とを有するようなデイメンションに形成されている、請求項１に記載の型。
【請求項４３】
少なくとも１つの溝は、約４ｍｍないし約６ｍｍの範囲内の深さと、約１．５ｍｍないし約２．５ｍｍの範囲内の幅とを有するようなデイメンションに形成されている、請求項１に記載の型。
【請求項４４】
少なくとも１つの溝は、約５ｍｍの深さと約２ｍｍの幅とを有するようなデイメンションに形成されている、請求項１に記載の型。
【請求項４５】
少なくとも１つの排気孔は、通路と、この通路内の閉塞部とを備え、これら閉塞部と通路とは、少なくとも１つの開口を形成するように組をなしている、請求項１に記載の型。
【請求項４６】
少なくとも１つの排気孔は、通路と、この通路内の閉塞部とを備え、これら閉塞部と通路とは、複数の開口を形成するように組をなしている、請求項１に記載の型。
【請求項４７】
前記少なくとも１つの開口は、ほぼセグメント形状の断面を有している、請求項１に記載の型。
【請求項４８】
前記閉塞部は、引っ込められた第１の位置と伸張した第２の位置との間で移動可能である、請求項４５に記載の型。
【請求項４９】
前記少なくとも１つの排気孔は、大きい容量を有し、ガスが、前記第２の位置においてよりも前記第１の位置において、前記型キャビティから逃げることを可能にする、請求項４８に記載の型。
【請求項５０】
少なくとも１つの排気孔は、通路と、この通路内の閉塞部とを備え、これら通路と前記閉塞部とは、ガスが前記型キャビティから逃げることを可能にさせる第１の位置と、前記排気孔が、前記型キャビティからのガスの逃げに対して実質的に閉成されている第２の位置との間を、互いに移動可能である、請求項１に記載の型。
【請求項５１】
少なくとも１つの排気孔は、最大寸法と最小寸法とを有する開口を規定するように、前記第１の型と第２の型との型割り線に配置されている、請求項１に記載の型。
【請求項５２】
前記最小寸法は、約０．０５ｍｍ（０．００２インチ）ないし約０．７５ｍｍ（０．０３０インチ）の範囲内である、請求項５１に記載の型。
【請求項５３】
前記最小寸法は、約０．１３ｍｍ（０．００５インチ）ないし約０．５０ｍｍ（０．０２０インチ）の範囲内である、請求項５１に記載の型。
【請求項５４】
前記開口は、断面がほぼ矩形である、請求項５１に記載の型。
【請求項５５】
成形品を生成する型であって、前記型は、型キャビティを規定するように解除可能に係合可能なふたとボウルとを備え、このふたは、（ｉ）夫々、ガスが前記型キャビティから逃げるための通路を有する複数の排気孔と、（ｉｉ）前記複数の溝の少なくとも１つを通して相互に気体連通状態である少なくとも２つの排気孔を有する、この複数の排気孔に接続されている複数の溝とを備え、各溝は、（ｉ）深さが幅より大きい、もしくは、幅に等しい、最大約１０ｍｍの深さ及び幅と、（ｉｉ）最大約５ｍｍの第１の幅を有する開成部分、並びに、第１の幅より小さい第２の幅を有する頂端部分を備えた断面の形状と、を有するようなデイメンションに形成されている、型。
【請求項５６】
成形品を生成する装置であって、この装置は、開成位置と閉成位置との間で解除可能に係合可能なふたとボウルとを備え、前記閉成位置は、型キャビティを規定し、前記ふたおと前記ボウルとの少なくとも一方は、（ｉ）夫々、ガスを前記型キャビティから逃がすための通路を有する複数の排気孔と、（ｉｉ）前記複数の排気孔と流体連通状態になるように配列されている複数の相互に連結した溝とを備え、前記排気孔の少なくとも２つは、前記複数の溝のうち少なくとも１つを通して相互に接続されており、各溝は、（ｉ）深さが幅より大きい、もしくは、幅に等しい、最大約１０ｍｍの深さ及び幅と、（ｉｉ）最大約５ｍｍの第１の幅を有する開成部分、並びに、第１の幅より小さい第２の幅を有する頂端部分を備えた断面の形状と、を有するようなデイメンションに形成されている、装置。